(57)【要約】【課題】ユーザが、番組データや同一構成番組データについて、見たい部分（コーナー）を、見たい順に、視聴することができる録画番組再生装置を提供すること。【解決手段】録画・再生装置３には、番組データ３０、同一構成番組データ４０、５０と識別子３１とが格納されている。再生支援装置２は、番組データ３０が放送された時間を表す時間データ３２を視聴指示に従って分割時間データ群３２−１、３２−２、３２−３、…に分割し、識別子３１と再生分割時間データ群３２−１、３２−３、…と順位群３６−１、３６−３、…とをデータベース１４に格納する。再生支援装置２は、番組データ３０及び同一構成番組データ４０、５０の中から、ユーザにより指定された選択番組データを選択し、優先再生指示に応じて、選択番組データの再生分割時間データ群３２−１、３２−３、…に対応する部分をそれぞれ順位群３６−１、３６−３、…に従って録画・再生装置３に再生する。【選択図】図１
2008092076.tif 000002
【特許請求の範囲】
【請求項１】
放送される放送番組を表す番組データと、前記番組データと同一構成で放送される放送番組を表す同一構成番組データと、前記番組データ及び前記同一構成番組データをほかの構成で放送される放送番組を表す番組データと識別する、前記番組データ及び前記同一構成番組データに共通の識別子とを格納する記憶装置を備え、ユーザによる視聴指示に応じて前記番組データ及び前記同一構成番組データを視聴可能な録画・再生装置と、
前記番組データが放送された時間を表す時間データを前記視聴指示に従って分割時間データ群に分割する再生監視部を備える再生支援装置とを具備し、
前記分割時間データ群のうちの、奇数番目及び偶数番目の一方の分割時間データは、前記視聴指示により前記番組データが前記録画・再生装置に再生された部分を表す再生分割時間データ群であり、
前記再生支援装置は、
データベースと、
前記識別子と、前記再生分割時間データ群と、前記再生分割時間データ群のそれぞれの順位を表す順位群とを前記データベースに格納する再生管理部と、
前記番組データ及び前記同一構成番組データの中から、ユーザにより指定された選択番組データを選択する選択部と、
ユーザによる優先再生指示に応じて、前記選択番組データの前記再生分割時間データ群に対応する部分をそれぞれ前記順位群に従って前記録画・再生装置に再生する再生制御部と
を更に備える録画番組再生装置。
【請求項２】
請求項１に記載の録画番組再生装置において、
前記分割時間データ群のうちの、奇数番目及び偶数番目の他方の分割時間データは、前記視聴指示により前記番組データが前記録画・再生装置に早送りされた部分を表す早送分割時間データ群である
録画番組再生装置。
【請求項３】
請求項１又は２に記載の録画番組再生装置において、
前記再生管理部は、
前記選択番組データの前記再生分割時間データ群に対応する部分がそれぞれ再生されたときの回数を表す視聴回数群を前記データベースに格納し、
前記視聴回数群が表す回数が多い順である視聴優先順位群を決定し、前記順位群として前記データベースに格納する
録画番組再生装置。
【請求項４】
請求項３に記載の録画番組再生装置において、
前記視聴回数群が表す回数が同じである場合、前記再生管理部は、前記再生分割時間データ群の並び順により、前記視聴優先順位群を決定する
録画番組再生装置。
【請求項５】
請求項１又は２に記載の録画番組再生装置において、
前記再生管理部は、ユーザにより決められた順位を表すユーザ順位群を前記順位群として前記データベースに格納する
録画番組再生装置。
【請求項６】
請求項１乃至５のいずれかに記載の録画番組再生装置において、
前記再生制御部は、前記優先再生指示と、ユーザにより設定された設定時間を表す時間設定指示とに応じて、
前記選択番組データの前記再生分割時間データ群のうちの、前記設定時間の範囲に収まる設定再生分割時間データ群を選択し、
前記順位群のうちの、前記設定再生分割時間データ群に対応する設定対応順位群を選択し、
前記選択番組データの前記設定再生分割時間データ群に対応する部分をそれぞれ前記設定対応順位群に従って前記録画・再生装置に再生する
録画番組再生装置。
【請求項７】
請求項６に記載の録画番組再生装置において、
前記再生制御部は、前記優先再生指示と前記時間設定指示とに応じて、
前記選択番組データの前記再生分割時間データ群のうちの、前記順位群が表す順位が高い順に、且つ、前記設定時間の範囲に収まる前記対応再生分割時間データ群を選択する
録画番組再生装置。
【請求項８】
請求項１乃至７のいずれかに記載の録画番組再生装置において、
前記同一構成番組データは、第１同一構成番組データと、第２同一構成番組データとを含み、
前記録画・再生装置に再生されている前記第１同一構成番組データに対して、ユーザが前記視聴指示として第１同一構成視聴指示を行なった場合、前記再生監視部は、前記第１同一構成番組データが放送された時間を表す第１同一構成時間データを前記第１同一構成視聴指示に従って第１同一構成分割時間データ群に分割し、
前記第１同一構成分割時間データ群のうちの、奇数番目及び偶数番目の一方の第１同一構成分割時間データは、前記第１同一構成視聴指示により前記第１同一構成番組データが前記録画・再生装置に再生された部分を表す第１同一構成再生分割時間データ群であり、
前記再生管理部は、前記識別子に対応付けて、前記第１同一構成再生分割時間データ群と、前記第１同一構成再生分割時間データ群のそれぞれの順位を表す第１同一構成順位群とを更に前記データベースに格納し、
前記再生制御部は、
前記第２同一構成番組データが前記選択番組データとして選択されたとき、前記再生分割時間データ群と前記第１同一構成再生分割時間データ群のうちの１つの再生分割時間データ群を選択するための選択情報をユーザに通知し、
前記再生分割時間データ群が選択されたとき、前記優先再生指示に応じて、前記選択番組データの前記再生分割時間データ群に対応する部分をそれぞれ前記順位群に従って前記録画・再生装置に再生し、
前記第１同一構成再生分割時間データ群が選択されたとき、前記優先再生指示に応じて、前記選択番組データの前記第１同一構成再生分割時間データ群に対応する部分をそれぞれ前記第１同一構成順位群に従って前記録画・再生装置に再生する
録画番組再生装置。
【請求項９】
放送される放送番組を表す番組データと、前記番組データと同一構成で放送される放送番組を表す同一構成番組データと、前記番組データ及び前記同一構成番組データをほかの構成で放送される放送番組を表す番組データと識別する、前記番組データ及び前記同一構成番組データに共通の識別子とを格納する記憶装置を備え、ユーザによる視聴指示に応じて前記番組データ及び前記同一構成番組データを視聴可能な録画・再生装置に接続された再生支援装置であって、
前記再生支援装置は、
前記番組データが放送された時間を表す時間データを前記視聴指示に従って分割時間データ群に分割する再生監視部を備え、
前記分割時間データ群のうちの、奇数番目及び偶数番目の一方の分割時間データは、前記視聴指示により前記番組データが前記録画・再生装置に再生された部分を表す再生分割時間データ群であり、
前記再生支援装置は、
データベースと、
前記識別子と、前記再生分割時間データ群と、前記再生分割時間データ群のそれぞれの順位を表す順位群とを前記データベースに格納する再生管理部と、
前記番組データ及び前記同一構成番組データの中から、ユーザにより指定された選択番組データを選択する選択部と、
ユーザによる優先再生指示に応じて、前記選択番組データの前記再生分割時間データ群に対応する部分をそれぞれ前記順位群に従って前記録画・再生装置に再生する再生制御部と
を更に備える再生支援装置。
【請求項１０】
放送される放送番組を表す番組データと、前記番組データと同一構成で放送される放送番組を表す同一構成番組データと、前記番組データ及び前記同一構成番組データをほかの構成で放送される放送番組を表す番組データと識別する、前記番組データ及び前記同一構成番組データに共通の識別子とを格納する記憶装置を備え、ユーザによる視聴指示に応じて前記番組データ及び前記同一構成番組データを視聴可能な録画・再生装置に接続され、データベースを具備するコンピュータを用いる録画番組再生方法であって、
前記番組データが放送された時間を表す時間データを前記視聴指示に従って分割時間データ群に分割する再生監視ステップを備え、
前記分割時間データ群のうちの、奇数番目及び偶数番目の一方の分割時間データは、前記視聴指示により前記番組データが前記録画・再生装置に再生された部分を表す再生分割時間データ群であり、
前記録画番組再生方法は、
前記識別子と、前記再生分割時間データ群と、前記再生分割時間データ群のそれぞれの順位を表す順位群とを前記データベースに格納する再生管理ステップと、
前記番組データ及び前記同一構成番組データの中から、ユーザにより指定された選択番組データを選択する選択ステップと、
ユーザによる優先再生指示に応じて、前記選択番組データの前記再生分割時間データ群に対応する部分をそれぞれ前記順位群に従って前記録画・再生装置に再生する再生制御ステップと
を更に備える録画番組再生方法。
【請求項１１】
請求項１０に記載の録画番組再生方法の各ステップを前記コンピュータに実行させるコンピュータプログラム。
【発明の詳細な説明】
【技術分野】
【０００１】
本発明は、録画された放送番組を表す番組データを再生する録画番組再生装置に関する。
【背景技術】
【０００２】
記憶装置を備え、テレビ放送された放送番組を表す動画像データである番組データを記憶装置に格納（録画）する録画番組再生装置（第１従来例の録画番組再生装置）が知られている。ユーザは、その番組データをリアルタイムで視聴する時間がないときに、第１従来例の録画番組再生装置により録画し、視聴する時間が得られたときに、録画された番組データを第１従来例の録画番組再生装置により再生する。これにより、ユーザは、その番組データが表す放送番組を楽しむことができる。
【０００３】
しかし、ユーザは、録画された番組データを限られた時間で視聴するとき、又は、その番組データが表す放送番組で見たい部分（コーナー）があるとき、それほど見たいと思わない部分（コーナー）について、第１従来例の録画番組再生装置に早送りさせて、視聴する場合がある。また、放送番組には、平日の同じ時間帯又は同じ曜日の同じ時間帯に、同じチャンネルで放送され、番組内のそれぞれの部分（コーナー）が同じ構成で放送される放送番組も存在する（このような放送番組を「同一構成」の放送番組といい、以後「同一構成」とはこのような意味を表す）。この場合、ユーザは、同一構成の番組データの同一の見たい部分（コーナー）を選択して視聴したいものである。そこで、ユーザの操作履歴を用いて番組データを再生する録画番組再生装置（第２従来例の録画番組再生装置）が開発されている（特許文献１）。
【０００４】
第２従来例の録画番組再生装置は、動画像の再生中にユーザによって入力された操作履歴情報を、同一操作を自動で行いたい他の動画像に設定して操作履歴情報を自動生成することで、同一構成のテレビ番組の動画像を再生する場合にユーザの要求にあった再生を自動的に行なうことを可能とする。
【０００５】
【特許文献１】特開２００２−３５４４０６号公報
【発明の開示】
【発明が解決しようとする課題】
【０００６】
しかし、番組データ中のそれぞれの見たい部分（コーナー）について、ユーザが１番目から最終番目まで放送順に視聴を好むとは限らない。ユーザは、番組データ中の見たい部分（コーナー）のうちの、例えば３番目の部分（コーナー）を一番気に入っている場合がある。ユーザは、視聴する時間が限られている場合には、一番気に入っている部分（コーナー）から視聴したいものである。
【０００７】
本発明の課題は、ユーザが、番組データや同一構成番組データについて、見たい部分（コーナー）を、見たい順に、視聴することができる録画番組再生装置を提供することにある。
本発明の他の課題は、ユーザが、番組データや同一構成番組データについて、見たい部分（コーナー）を、見たい順に、見たい時間だけ、視聴することができる録画番組再生装置を提供することにある。
【課題を解決するための手段】
【０００８】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明の録画番組再生装置（１）は、録画・再生装置（３）と、再生支援装置（２）とを具備している。
前記録画・再生装置（３）は、記憶装置（４）を備えている。前記録画・再生装置（３）は、放送される放送番組を表す番組データ（３０）と、前記番組データ（３０）と同一構成で放送される放送番組を表す同一構成番組データ（４０、５０）と、前記番組データ（３０）及び前記同一構成番組データ（４０、５０）をほかの構成で放送される放送番組を表す番組データと識別する、前記番組データ（３０）及び前記同一構成番組データ（４０、５０）に共通の識別子（３１）とを前記記憶装置（４）に格納する。前記録画・再生装置（３）は、ユーザによる視聴指示に応じて前記番組データ（３０）及び前記同一構成番組データ（４０、５０）を視聴可能である。
前記再生支援装置（２）は、再生監視部（２１）と、データベース（１４）と、再生管理部（２２）と、選択部（２３）と、再生制御部（２４）とを備えている。
前記再生監視部（２１）は、前記番組データ（３０）が放送された時間を表す時間データ（３２）を前記視聴指示に従って分割時間データ群（３２−１、３２−２、３２−３、…）に分割する。
前記分割時間データ群（３２−１、３２−２、３２−３、…）のうちの、奇数番目及び偶数番目の一方の分割時間データは、前記視聴指示により前記番組データ（３０）が前記録画・再生装置（３）に再生された部分を表す再生分割時間データ群（３２−１、３２−３、…）である。
前記再生管理部（２２）は、前記識別子（３１）と、前記再生分割時間データ群（３２−１、３２−３、…）と、前記再生分割時間データ群（３２−１、３２−３、…）のそれぞれの順位を表す順位群（３６−１、３６−３、…）とを前記データベース（１４）に格納する。
前記選択部（２３）は、前記番組データ（３０）及び前記同一構成番組データ（４０、５０）の中から、ユーザにより指定された選択番組データ（３０）（４０）（５０）を選択する。
前記再生制御部（２４）は、ユーザによる優先再生指示に応じて、前記選択番組データ（３０）（４０）（５０）の前記再生分割時間データ群（３２−１、３２−３、…）に対応する部分をそれぞれ前記順位群（３６−１、３６−３、…）に従って前記録画・再生装置（３）に再生する。
【００１０】
本発明の録画番組再生装置（１）において、前記分割時間データ群（３２−１、３２−２、３２−３、…）のうちの、奇数番目及び偶数番目の他方の分割時間データは、前記視聴指示により前記番組データ（３０）が前記録画・再生装置（３）に早送りされた部分を表す早送分割時間データ群（３２−２、３２−４、…）である。
【００１１】
本発明の録画番組再生装置（１）において、前記再生管理部（２２）は、前記選択番組データ（３０）（４０）（５０）の前記再生分割時間データ群（３２−１、３２−３、…）に対応する部分がそれぞれ再生されたときの回数を表す視聴回数群（３３−１、３３−３、…）を前記データベース（１４）に格納する。
前記視聴回数群（３３−１、３３−３、…）が表す回数が多い順である視聴優先順位群（３４−１、３４−３、…）を決定し、前記順位群（３６−１、３６−３、…）として前記データベース（１４）に格納する。
【００１２】
本発明の録画番組再生装置（１）において、前記視聴回数群（３３−１、３３−３、…）が表す回数が同じである。
この場合、前記再生管理部（２２）は、前記再生分割時間データ群（３２−１、３２−３、…）の並び順により、前記視聴優先順位群（３４−１、３４−３、…）を決定する。
【００１３】
本発明の録画番組再生装置（１）において、前記再生管理部（２２）は、ユーザにより決められた順位を表すユーザ順位群（３５−１、３５−３、…）を前記順位群（３６−１、３６−３、…）として前記データベース（１４）に格納する。
【００１４】
本発明の録画番組再生装置（１）において、前記再生制御部（２４）は、前記優先再生指示と、ユーザにより設定された設定時間（“２０分”）を表す時間設定指示とに応じて、前記選択番組データ（３０）（４０）（５０）の前記再生分割時間データ群（３２−１“１０分”、３２−３“１２分”、３２−５“１０分”）のうちの、前記設定時間（“２０分”）の範囲に収まる設定再生分割時間データ群（３２−３“１２分”、３２−１’“８分”）を選択する。前記再生制御部（２４）は、前記順位群（３６−１“２”、３６−３“１”、３６−５“３”）のうちの、前記設定再生分割時間データ群（３２−３“１２分”、３２−１’“８分”）に対応する設定対応順位群（３６−３“１”、３６−１“２”）を選択する。前記再生制御部（２４）は、前記選択番組データ（３０）（４０）（５０）の前記設定再生分割時間データ群（３２−３“１２分”、３２−１’“８分”）に対応する部分をそれぞれ前記設定対応順位群（３６−３“１”、３６−１“２”）に従って前記録画・再生装置（３）に再生する。
【００１５】
本発明の録画番組再生装置（１）において、前記再生制御部（２４）は、前記優先再生指示と前記時間設定指示とに応じて、前記選択番組データ（３０）（４０）（５０）の前記再生分割時間データ群（３２−１“１０分”、３２−３“１２分”、３２−５“１０分”）のうちの、前記順位群（３６−１“２”、３６−３“１”、３６−５“３”）が表す順位が高い順に、且つ、前記設定時間（“２０分”）の範囲に収まる前記対応再生分割時間データ群（３２−３“１２分”、３２−１’“８分”）を選択する。
【００１６】
本発明の録画番組再生装置（１）において、前記同一構成番組データ（４０）（５０）は、第１同一構成番組データ（４０）と、第２同一構成番組データ（５０）とを含んでいる。
前記録画・再生装置（３）に再生されている前記第１同一構成番組データ（４０）に対して、ユーザが前記視聴指示として第１同一構成視聴指示を行なう。
この場合、前記再生監視部（２１）は、前記第１同一構成番組データ（４０）が放送された時間を表す第１同一構成時間データ（４２）を前記第１同一構成視聴指示に従って第１同一構成分割時間データ群（４２−１、４２−２、４２−３、…）に分割する。
前記第１同一構成分割時間データ群（４２−１、４２−２、４２−３、…）のうちの、奇数番目及び偶数番目の一方の第１同一構成分割時間データは、前記第１同一構成視聴指示により前記第１同一構成番組データ（４０）が前記録画・再生装置（３）に再生された部分を表す第１同一構成再生分割時間データ群（４２−１、４２−３、…）である。
前記再生管理部（２２）は、前記識別子（３１）に対応付けて、前記第１同一構成再生分割時間データ群（４２−１、４２−３、…）と、前記第１同一構成再生分割時間データ群（４２−１、４２−３、…）のそれぞれの順位を表す第１同一構成順位群（４６−１、４６−３、…）とを更に前記データベース（１４）に格納する。
前記第２同一構成番組データ（５０）が前記選択番組データとして選択されたとき、前記再生制御部（２４）は、前記再生分割時間データ群（３２−１、３２−３、…）と前記第１同一構成再生分割時間データ群（４２−１、４２−３、…）のうちの１つの再生分割時間データ群を選択するための選択情報をユーザに通知する。
前記再生分割時間データ群（３２−１、３２−３、…）が選択された場合、前記再生制御部（２４）は、前記優先再生指示に応じて、前記選択番組データ（５０）の前記再生分割時間データ群（３２−１、３２−３、…）に対応する部分をそれぞれ前記順位群（３６−１、３６−３、…）に従って前記録画・再生装置（３）に再生する。
前記第１同一構成再生分割時間データ群（４２−１、４２−３、…）が選択された場合、前記再生制御部（２４）は、前記優先再生指示に応じて、前記選択番組データ（５０）の前記第１同一構成再生分割時間データ群（４２−１、４２−３、…）に対応する部分をそれぞれ前記第１同一構成順位群（４６−１、４６−３、…）に従って前記録画・再生装置（３）に再生する。
【００１７】
本発明の再生支援装置（２）は、上記の再生支援装置（２）である。
【００１８】
本発明の録画番組再生方法は、上記の再生支援装置（２）であるコンピュータ（１）を用いる。そのコンピュータには、上記の再生監視部（２１）、再生管理部（２２）、選択部（２３）、再生制御部（２４）であるコンピュータプログラム（１３）と、データベース（１４）とが備えられている。この場合、本発明の録画番組再生方法は、上記のコンピュータプログラム（１３）により実現される。
【発明の効果】
【００１９】
本発明によれば、ユーザが優先再生指示を行なう場合では、ユーザは、番組データ（３０）や同一構成番組データ（４０、５０）について、見たい部分（コーナー）を、見たい順に、視聴することができる。
本発明によれば、ユーザが優先再生指示と時間設定指示とを行なう場合では、ユーザは、番組データ（３０）や同一構成番組データ（４０、５０）について、見たい部分（コーナー）を、見たい順に、見たい時間だけ、視聴することができる。
【発明を実施するための最良の形態】
【００２０】
以下に添付図面を参照して、本発明の録画番組再生装置について詳細に説明する。
【００２１】
（第１実施形態）
図１は、本発明の第１実施形態による録画番組再生装置１が適用されるシステムの構成を示している。そのシステムは、録画番組再生装置１と、放送番組配信装置１０１とを具備している。放送番組配信装置１０１は、放送網であるネットワーク１０２を介して録画番組再生装置１に接続されている。
【００２２】
録画番組再生装置１は、録画・再生装置３と、再生支援装置２と、入力装置７と、出力装置８とを具備している。録画・再生装置３は再生支援装置２に接続されている。入力装置７は、録画・再生装置３と再生支援装置２とに接続されている。入力装置７は、リモートコントロール端末（リモコン）、キーボード（Ｋ／Ｂ）、ポインティングデバイス（マウス）を含んでいる。出力装置８は、表示装置、スピーカを含んでいる。
【００２３】
録画・再生装置３は、記憶装置（例示；ハードディスクレコーダー）４と、チューナを含む受信部５と、再生部６とを備えている。
【００２４】
放送番組配信装置１０１は、放送される放送番組を表す番組データ３０を配信する。受信部５は、番組データ３０を受信し、番組データ３０と、番組データ３０をほかの構成で放送される放送番組を表す番組データと識別する識別子３１とを記憶装置４に録画（格納）する。また、受信部５は、番組データ３０と同一構成で放送される放送番組を表す同一構成番組データ４０、５０を受信し、同一構成番組データ４０、５０と、識別子３１とを記憶装置４に録画（格納）する。
【００２５】
番組データ３０、同一構成番組データ４０、５０は、平日の同じ時間帯又は同じ曜日の同じ時間帯に、同じチャンネルで放送され、番組内のそれぞれの部分（コーナー）が同じ構成で放送される放送番組であるものとする。番組データ３０、同一構成番組データ４０、５０が、同じ曜日、同じ時間帯、同じチャンネルで放送される放送番組である場合、例えば、番組データ３０は、８月１日１９時〜２０時に放送された放送番組であり、同一構成番組データ４０、５０は、それぞれ、８月８日、８月１５日１９時〜２０時に放送された放送番組であるものとする。この場合、識別子３１は、同じ曜日、同じ時間帯、同じチャンネルを表す情報を含んでいる。また、番組データ３０、同一構成番組データ４０、５０のＥＩＴ（Ｅｖｅｎｔ  Ｉｎｆｏｒｍａｔｉｏｎ  Ｔａｂｌｅ）に共通のＩＤが含まれている場合、識別子３１は、更に、そのＩＤを含んでいる。また、ユーザが入力装置７を操作して、番組データ３０、同一構成番組データ４０、５０に対して共通の題名をつけて録画・再生装置３に管理させる場合、識別子３１は、更に、その題名を含んでいる。
【００２６】
ユーザは、入力装置７を操作して視聴指示を行なうことにより、番組データ３０を視聴可能である。この場合、再生部６は、視聴指示に応じて番組データ３０を再生して出力装置８に出力する。
【００２７】
再生支援装置２は、ＣＰＵ（Ｃｅｎｔｒａｌ  Ｐｒｏｃｅｓｓｉｎｇ  Ｕｎｉｔ）１１と、メモリである格納部１２とを具備している。格納部１２には、ＣＰＵ１１が実行するためのコンピュータプログラム１３と、データベース１４とが格納されている。コンピュータプログラム１３は、再生監視部２１、再生管理部２２、選択部２３、再生制御部２４を含んでいる。
【００２８】
図２は、再生支援装置２の動作を示すフローチャートである。
再生支援装置２の動作としては、
（Ａ）後述の通常処理を実行する場合、
（Ｂ）後述の優先再生処理を実行する場合、
（Ｃ）後述の優先再生・時間設定処理を実行する場合、
（Ｄ）後述の前回再生パターン処理を実行する場合、
に分けることができる。
【００２９】
まず、（Ａ）通常処理の場合について説明する。
【００３０】
ユーザは、番組データ３０を視聴する場合、入力装置７を操作して、番組データ３０を選択するための番組選択指示を行なう。再生支援装置２の選択部２３は、番組選択指示に応じて、記憶装置４に格納された番組データ３０を選択番組データとして選択する（ステップＳ１）。選択部２３は、一般のＨＤＤレコーダで再生する番組を選択する機能を有し、ここでは、記憶装置４に格納（録画）された番組データ３０、同一構成番組データ４０、５０について説明するが、ほかにも番組データが記憶装置４に録画されている場合は、その番組データについても選択できる。
同一構成の放送番組（番組データ３０、同一構成番組データ４０、５０）が識別子３１に対応付けて記憶装置４に格納されている。この場合、選択部２３は、編集再生画面を出力装置８の表示装置に表示する。
【００３１】
図５Ａ〜図５Ｃは、編集再生画面の一部を表している。編集再生画面は、“通常再生”欄と、“優先順位の高い順で再生”欄と、“前回の再生パターンで再生”欄とを含んでいる。“優先順位の高い順で再生”欄は、“優先順位”欄と、“時間設定”欄とを含んでいる。“優先順位”欄は、数値を設定する欄を含み、“時間設定”欄は、時間を設定する欄を含んでいる。
【００３２】
ユーザは、過去に番組データ３０と同一構成の放送番組を再生させていない（ステップＳ２−ＮＯ）。この場合、ユーザは、入力装置７を操作して、“通常再生”欄を選択し、視聴指示を行なう。
録画・再生装置３の再生部６は、その視聴指示に応じて選択番組データ３０を再生して出力装置８に出力する（ステップＳ３；通常再生処理）。このとき、再生支援装置２の再生監視部２１は、録画・再生装置３を監視する。
【００３３】
通常再生処理（ステップＳ３）において、図３に示されるように、再生監視部２１は、選択番組データ３０が放送された時間を表す時間データ３２を、視聴指示に従って、１番目から最終番目までの分割時間データ群３２−１、３２−２、３２−３、…に分割する。視聴指示は、例えば、再生指示、早送指示、終了指示を含んでいる。分割時間データ群３２−１、３２−２、３２−３、…のうちの、奇数番目及び偶数番目の一方の分割時間データは、ユーザが入力装置７を操作して再生指示を行ってから早送指示又は終了指示を行うまでの視聴指示により、選択番組データ３０が録画・再生装置３に再生された部分を表す再生分割時間データ群であり、奇数番目及び偶数番目の他方の分割時間データは、ユーザが入力装置７を操作して早送指示を行ってから再生指示又は終了指示を行うまでの視聴指示により、選択番組データ３０が録画・再生装置３に早送りされた部分を表す早送分割時間データ群である。ここで、奇数番目の分割時間データ３２−１、３２−３、…を再生分割時間データ群とし、偶数番目の分割時間データ３２−２、３２−４、…を早送分割時間データ群とする。
上述のように、選択番組データ３０は、８月１日１９時〜２０時に放送された放送番組であるため、時間データ３２が表す時間は、１時間である。１時間を１：００：００と表すものとする。ここで、１：００：００は、この順に時間、分、秒を表している。例えば、再生分割時間データ群３２−１、３２−３、３２−５が表す時間を、それぞれ、０：００：００〜０：１０：００、０：２０：００〜０：３２：００、０：５０：００〜１：００：００とする。
【００３４】
再生支援装置２の再生管理部２２は、ステップＳ３が実行されているときに、データベース１４を管理する（ステップＳ４；再生管理処理）。
【００３５】
再生管理処理（ステップＳ４）において、図４Ａに示されるように、再生管理部２２は、選択番組データ３０を識別するための識別子３１を記憶装置４から読み出し、識別子３１と、再生分割時間データ群３２−１、３２−３、３３−５とをデータベース１４に格納する。
再生管理部２２は、選択番組データ３０の再生分割時間データ群３２−１、３２−３、３２−５に対応する部分がそれぞれ再生されたときの回数を表す視聴回数群３３−１、３３−３、３３−５と、再生分割時間データ群３２−１、３２−３、３２−５のそれぞれの順位を表す順位群３６−１、３６−３、３６−５とを、識別子３１に対応付けてデータベース１４に格納する。ここで、視聴回数群３３−１、３３−３、３３−５が表す回数が同じ“１”であるため、再生管理部２２は、再生分割時間データ群３２−１、３２−３、３２−５の並び順により、視聴優先順位群３４−１“１”、３４−３“２”、３４−５“３”を決定し、順位群３６−１“１”、３６−３“２”、３６−５“３”としてデータベース１４に格納する。
【００３６】
次に、（Ｂ）優先再生処理の場合について説明する。
【００３７】
ユーザは、再生分割時間データ群３２−１、３２−３、３２−５を用いて同一構成番組データ４０を視聴する場合、入力装置７を操作して、同一構成番組データ４０を選択するための番組選択指示を行なう。再生支援装置２の選択部２３は、番組選択指示に応じて、記憶装置４に格納された同一構成番組データ４０を選択番組データとして選択する（ステップＳ１）。同一構成番組データ４０と同一構成の放送番組（番組データ３０、同一構成番組データ４０、５０）が識別子３１に対応付けて記憶装置４に格納されているため、選択部２３は、編集再生画面を出力装置８の表示装置に表示する。
【００３８】
上述のように、ユーザは、過去に同一構成番組データ４０と同一構成の放送番組（番組データ３０）を再生させている（ステップＳ２−ＹＥＳ）。この場合、ユーザは、入力装置７を操作して、“優先順位の高い順で再生”欄、“優先順位”欄を選択したものとする（ステップＳ５−ＹＥＳ、Ｓ６−ＮＯ）。この場合、再生支援装置２の選択部２３は、データベース１４を参照して、順位群３６−１、３６−３、３６−５として、視聴優先順位群３４−１、３４−３、３４−５が表す順位“１”、“２”、“３”を認識する。
【００３９】
ユーザは、“優先順位の高い順で再生”欄、“優先順位”欄を選択した状態で、入力装置７を操作して、優先再生指示を行なう。この場合、再生支援装置２の再生制御部２４は、優先再生指示に応じて、選択番組データ４０の再生分割時間データ群３２−１、３２−３、３２−５に対応する部分をそれぞれ順位群３６−１“１”、３６−３“２”、３６−５“３”に従って録画・再生装置３に再生する（ステップＳ７；優先再生処理）。即ち、再生制御部２４は、選択番組データ４０の早送分割時間データ群３２−２、３２−４、…に対応する部分をスキップしながら、選択番組データ４０の再生分割時間データ群３２−１、３２−３、３２−５に対応する部分を録画・再生装置３に再生する。ここで、ユーザは、入力装置７を操作して、選択番組データ４０の再生分割時間データ群３２−１、３２−５に対応する部分を早送りしたものとする。
【００４０】
再生支援装置２の再生管理部２２は、ステップＳ７が実行されているときに、データベース１４を管理する（ステップＳ４；再生管理処理）。
【００４１】
再生管理処理（ステップＳ４）において、図４Ｂに示されるように、再生管理部２２は、選択番組データ４０の再生分割時間データ群３２−３に対応する部分が再生されたときの回数を表す視聴回数群３３−３と、再生分割時間データ群３２−１、３２−３、３２−５のそれぞれの順位を表す順位群３６−１、３６−３、３６−５とを、識別子３１に対応付けてデータベース１４に格納（更新）する。再生管理部２２は、視聴回数群３３−１、３３−３、３３−５が表す回数が多い順である視聴優先順位群３４−１、３４−３、３４−５を決定し、順位群３６−１、３６−３、３６−５としてデータベース１４に格納する。ここで、視聴回数群３３−１、３３−３、３３−５が表す回数がそれぞれ“１”、“２”、“１”であるため、再生管理部２２は、視聴回数群３３−１“１”、３３−３“２”、３３−５“１”と、再生分割時間データ群３２−１、３２−３、３２−５の並び順により、視聴優先順位群３４−１“２”、３４−３“１”、３４−５“３”を決定し、順位群３６−１“２”、３６−３“１”、３６−５“３”としてデータベース１４に格納する。
【００４２】
このように、本発明によれば、（Ｂ）の場合では、ユーザは、番組データ３０や同一構成番組データ４０、５０について、見たい部分（コーナー）を、見たい順に、視聴することができる。
【００４３】
例えば、（Ｂ）の場合の後の（Ｂ）’の場合として、ユーザは、入力装置７を操作して、同一構成番組データ５０を指定し、“優先順位の高い順で再生”欄、“優先順位”欄を選択したものとする（ステップＳ１、Ｓ２−ＹＥＳ、Ｓ５−ＹＥＳ、Ｓ６−ＮＯ）。この場合、再生支援装置２の選択部２３は、データベース１４を参照して、順位群３６−１、３６−３、３６−５として、視聴優先順位群３４−１、３４−３、３４−５が表す順位“２”、“１”、“３”を認識し、上位３位の再生分割時間データ３２−３、３２−１、３２−５を示す欄を編集再生画面に表示する。
選択部２３は、例えば、１位、２位、３位に対応する再生分割時間データを示す欄をそれぞれ青、黄、赤で色づけして編集再生画面に表示する。再生分割時間データ３２−３、３２−１、３２−５はそれぞれ順位３６−３“１”（１位）、３６−１“２”（２位）、３６−５“３”（３位）に対応するため、選択部２３は、再生分割時間データ３２−３、３２−１、３２−５を示す欄をそれぞれ青、黄、赤で色づけする。
【００４４】
ユーザは、入力装置７を操作して、“優先順位”欄に“２”を設定したものとする。この場合、図５Ｂに示されるように、選択部２３は、再生分割時間データ群３２−１、３２−３、３２−５の中から、上位２位の再生分割時間データ３２−３、３２−１を選択する。選択部２３は、上位２位の再生分割時間データ３２−３、３２−１を示す欄を緑で色づけして編集再生画面に表示すると共に、その上位２位の再生分割時間データ３２−３、３２−１が表す時間の合計“２２分”を編集再生画面に表示する。この緑の色づけは、再生分割時間データ３２−３、３２−１が選択されたことを表している。
ユーザは、入力装置７を操作して、優先再生処理の実行を指示するための優先再生指示を行なった場合、再生制御部２４は、選択番組データ５０の再生分割時間データ３２−３、３２−１に対応する部分をそれぞれ順位３６−３“１”、３６−１“２”に従って録画・再生装置３に再生する（ステップＳ７；優先再生処理）。そのとき、再生管理部２２は、上記の再生管理処理（ステップＳ４）を実行する。
【００４５】
このように、本発明によれば、（Ｂ）’の場合でも、ユーザは、番組データ３０や同一構成番組データ４０、５０について、見たい部分（コーナー）を、見たい順に、視聴することができる。
【００４６】
なお、上記の（Ｂ）’の場合では、ユーザが入力装置７を操作して、“優先順位の高い順で再生”欄を選択して“優先順位”欄に数値（上記の場合、“２”）を設定しているが、上記の（Ｂ）の場合のように、ユーザが入力装置７を操作して、“優先順位の高い順で再生”欄を選択しても、“優先順位”欄に数値を設定しない場合が考えられる。この場合、ユーザが“優先順位の高い順で再生”欄を選択したときに（ユーザが“時間設定”欄を選択しない限り）自動的に“優先順位”欄が選択されることが好ましい。“優先順位”欄の初期設定値としては“∞”が例示される。
【００４７】
次に、（Ｃ）優先再生・時間設定処理の場合について説明する。
【００４８】
例えば、（Ｂ）の場合の後の（Ｃ）の場合として、ユーザは、入力装置７を操作して、同一構成番組データ５０を指定し、“優先順位の高い順で再生”欄、“時間設定”欄とを選択したものとする（ステップＳ１、Ｓ２−ＹＥＳ、Ｓ５−ＹＥＳ、Ｓ６−ＹＥＳ）。この場合、再生支援装置２の選択部２３は、データベース１４を参照して、順位群３６−１、３６−３、３６−５として、視聴優先順位群３４−１、３４−３、３４−５が表す順位“２”、“１”、“３”を認識し、上位３位の再生分割時間データ３２−３、３２−１、３２−５を示す欄をそれぞれ青、黄、赤で色づけして編集再生画面に表示する。
【００４９】
ユーザは、入力装置７を操作して、“時間設定”欄に設定時間として“２０分”を設定したものとする。この場合、図５Ｃに示されるように、選択部２３は、再生分割時間データ群３２−１、３２−３、３２−５の中から、順位群３６−１“２”、３６−３“１”、３６−５“３”が表す順位が高い順に、且つ、設定時間“２０分”に対応する対応再生分割時間データ群３２−３“１２分”、３２−１’“８分”（図示しない）を選択する。ここで、対応再生分割時間データ３２−３は、時間“１２分”を表す再生分割時間データである。設定時間“２０分”から、対応再生分割時間データ３２−３が表す時間“１２分”を減算した時間は、“８分”であるため、対応再生分割時間データ３２−１’は、再生分割時間データ３２−１が表す時間“１０分”のうちの、“８分”を表す再生分割時間データである。選択部２３は、対応再生分割時間データ群３２−３、３２−１’を示す欄を緑で色づけして編集再生画面に表示すると共に、その対応再生分割時間データ群３２−３、３２−１’が表す時間の合計“２０分”を編集再生画面に表示する。この緑の色づけは、対応再生分割時間データ群３２−３、３２−１’が選択されたことを表している。
【００５０】
ユーザは、“優先順位の高い順で再生”欄、“時間設定”欄を選択した状態で、入力装置７を操作して、優先再生・時間設定指示を行なった場合、再生制御部２４は、選択番組データ５０の対応再生分割時間データ群３２−３、３２−１’に対応する部分をそれぞれ順位３６−３“１”、３６−１“２”に従って録画・再生装置３に再生する（ステップＳ８；優先再生・時間設定処理）。そのとき、再生管理部２２は、上記の再生管理処理（ステップＳ４）を実行する。
【００５１】
このように、本発明によれば、（Ｃ）の場合では、ユーザは、番組データ３０や同一構成番組データ４０、５０について、見たい部分（コーナー）を、見たい順に、見たい時間だけ、視聴することができる。
【００５２】
次に、（Ｄ）前回再生パターン処理の場合について説明する。
【００５３】
例えば、（Ｂ）の場合の後の（Ｄ）の場合として、ユーザは、入力装置７を操作して、同一構成番組データ５０を指定し、“前回の再生パターンで再生”欄を選択したものとする（ステップＳ１、Ｓ２−ＹＥＳ、Ｓ５−ＮＯ）。この場合、図５Ａに示されるように、再生支援装置２の選択部２３は、データベース１４を参照して、再生分割時間データ３２−３を示す欄と、その再生分割時間データ３２−３が表す時間“１２分”とを編集再生画面に表示する。ユーザは、入力装置７を操作して、優先再生指示を行なった場合、再生制御部２４は、選択番組データ５０の再生分割時間データ３２−３に対応する部分を録画・再生装置３に再生する（ステップＳ９；前回再生パターン処理）。そのとき、再生管理部２２は、上記の再生管理処理（ステップＳ４）を実行する。
【００５４】
また、例えば、（Ａ）の場合の後の（Ｄ）の場合として、ユーザにより同一構成番組データ５０（選択番組データ５０）が指定されたものとする。この場合、再生支援装置２の再生制御部２４は、選択番組データ５０の再生分割時間データ群３２−１、３２−３、３２−５に対応する部分をそれぞれ順位３６−１、３６−３、３６−５に従って録画・再生装置３に再生し（ステップＳ９；前回再生パターン処理）、再生管理部２２は、上記の再生管理処理（ステップＳ４）を実行する。
【００５５】
このように、本発明によれば、（Ｄ）の場合でも、ユーザは、番組データ３０や同一構成番組データ４０、５０について、見たい部分（コーナー）を、見たい順に、視聴することができる。
【００５６】
例えば、（Ｂ）、（Ｃ）、（Ｄ）のいずれかの場合として、ユーザは、録画・再生装置３に再生されている同一構成番組データ４０、５０を視聴しているものとする。このとき、ユーザは、入力装置７を操作して、再生分割時間データ群３２−１、３２−３、３２−５に対して、順位（ユーザ順位）を決めることができる。
【００５７】
ユーザ順位は、視聴優先順位よりも優先される。即ち、再生制御部２４は、視聴優先順位群３４−１“２”、３４−３“１”、３４−５“３”に関わらず、ユーザにより決められた順位により、例えば優先再生処理（ステップＳ７）を実行する。
この場合、ユーザは、録画・再生装置３に再生されている同一構成番組データ４０を視聴中に、入力装置７を操作して、ユーザ順位決定指示を行なう。例えば、再生管理部２２は、ユーザ順位決定指示に応じて、再生分割時間データ群３２−１、３２−３、３２−５を示す欄を含む小画面を、同一構成番組データ４０を表す画面上に表示する。ユーザは、入力装置７を操作して、再生分割時間データ群３２−１、３２−３、３２−５のそれぞれに対して、ユーザが決定した順位を表すユーザ順位群３５−１、３５−３、３５−５を再生支援装置２に入力する。ここで、再生管理部２２は、ユーザ順位群３５−１、３５−３、３５−５が表す順位を、空き番がないように連番で付すようユーザに促す。例えば、ユーザ順位群３５−１、３５−３、３５−５が表す順位をそれぞれ“１”、“２”、“３”とする。図４Ｃに示されるように、再生管理部２２は、ユーザ順位群３５−１“１”、３５−３“２”、３５−５“３”を、順位群３６−１“１”、３６−３“２”、３６−５“３”としてデータベース１４に格納する。再生制御部２４は、選択番組データ４０の再生分割時間データ群３２−１、３２−３、３２−５に対応する部分をそれぞれ順位群３６−１“１”、３６−３“２”、３６−５“３”に従って録画・再生装置３に再生する。そのとき、再生管理部２２は、上記の再生管理処理（ステップＳ４）を実行する。
【００５８】
この場合でも、本発明によれば、ユーザは、番組データ３０や同一構成番組データ４０、５０について、見たい部分（コーナー）を、見たい順に、視聴することができる。
【００５９】
本発明の録画番組再生装置１が利用される利用シーンについて具体例を用いて説明する。
【００６０】
（利用シーン  その１）
ユーザは、夜の報道番組（番組データ３０、同一構成番組データ４０、５０）をリアルタイムで視聴する時間がないときに、録画番組再生装置１により録画しておき、仕事を終えて帰宅した後に視聴する。
【００６１】
ユーザは、毎日夜遅く帰宅するため、帰宅後、録画済みのその日の報道番組（番組データ３０、同一構成番組データ４０、５０）内の視聴したいコーナーだけを再生しようと考えている（視聴したくないコーナーは早送りしようと考えている）。なお、報道番組（番組データ３０、同一構成番組データ４０、５０）の再生分割時間データ群３２−１、３２−３、３２−５に対応する部分（コーナー）は、それぞれ、事件・事故・政治などのニュース、スポーツニュース、芸能ニュースにより構成されているものし、ユーザは、報道番組をスポーツニュース、ニュース、芸能ニュースの順で好んでいる。ここで、ユーザは、過去に上記（Ａ）の場合を録画番組再生装置１に実行させたことがあるとする。この場合、ユーザは、上記（Ｂ）又は（Ｄ）の場合を録画番組再生装置１に実行させることにより、過去の同一構成報道番組のコーナー別視聴回数の多い順にコーナーを優先的に再生することができたり、優先順位を指定することでその優先順位までのコーナーを再生することができたりする。例えば、ユーザは、報道番組（番組データ３０、同一構成番組データ４０、５０）を視聴する時間があまりない時は、上記（Ｂ）の場合の後の（Ｄ）の場合を録画番組再生装置１に実行させることにより、最も視聴したいコーナー（スポーツニュースのコーナー）のみを視聴することができる。ユーザは、時間が多少ある時には、上記（Ｂ）の場合の後の（Ｂ）’の場合を録画番組再生装置１に実行させることにより、最も視聴したいコーナー（スポーツニュースのコーナー）のほかに、次に視聴したいコーナー（ニュースのコーナー）も視聴することができる。
また、本発明の録画番組再生装置１では、優先順位を指定する度に、再生時間（合計値）が編集再生画面上に表示されるので、視聴したいコーナーの再生時間をあらかじめ把握することができる。
【００６２】
このように、本発明によれば、（Ｂ）の場合において、ユーザは、番組データ３０や同一構成番組データ４０、５０について、見たい部分（コーナー）を、見たい順に、視聴することができる。
【００６３】
（利用シーン  その２）
ユーザは、夜の報道番組（番組データ３０）をリアルタイムで視聴する時間がないときに、録画番組再生装置１により録画しておき、起床した後に家を出るまでの時間だけ視聴する。
【００６４】
ユーザは、毎日夜遅く帰宅するため、翌朝の起床後から会社へ出発するまでの時間に録画済みのその日の報道番組（番組データ３０、同一構成番組データ４０、５０）内の視聴したいコーナーだけを再生しようと考えている（視聴したくないコーナーは早送りしようと考えている）。ただし、起床時間や出発の準備のためにかかる時間、出発時間の違いから、ユーザが視聴可能な時間は日によって異なる。なお、報道番組（番組データ３０、同一構成番組データ４０、５０）の再生分割時間データ群３２−１、３２−３、３２−５に対応する部分（コーナー）は、それぞれ、事件・事故・政治などのニュース、スポーツニュース、芸能ニュースにより構成されているものし、ユーザは、報道番組をスポーツニュース、ニュース、芸能ニュースの順で好んでいる。ここで、ユーザは、過去に上記（Ａ）の場合を録画番組再生装置１に実行させたことがあるとする。この場合、ユーザは、まず、出発時間までの限られた時間でどのコーナーまで視聴できるかを計算し、その結果を設定時間とし、見たいコーナーを設定時間内で視聴する。そして、ユーザは、上記（Ｃ）の場合を録画番組再生装置１に実行させることにより、設定時間内で過去の同一構成報道番組のコーナー別視聴回数の多い順にコーナーを優先的に再生することができたり、優先順位を指定することでその優先順位までのコーナーを再生することができたりする。例えば、ユーザは、報道番組（番組データ３０、同一構成番組データ４０、５０）を視聴する時間があまりない時は、上記（Ｂ）の場合の後の（Ｃ）の場合で、設定時間を短く設定して録画番組再生装置１に実行させることにより、最も視聴したいコーナー（スポーツニュースのコーナー）を設定時間内で視聴することができる。ユーザは、時間が多少ある時には、上記（Ｂ）の場合の後の（Ｃ）の場合で、設定時間を長く設定して録画番組再生装置１に実行させることにより、最も視聴したいコーナー（スポーツニュースのコーナー）のほかに視聴したいコーナー（ニュースや芸能ニュースのコーナー）も設定時間内で視聴することができる。
これにより、本発明の録画番組再生装置１では、ユーザは、出発時間までの時間を設定時間として設定することで、設定時間内に当てはまるようにどのコーナーを再生させるかを考えることなく、設定時間内で視聴したいコーナーから順に視聴することができる。
【００６５】
このように、本発明によれば、（Ｃ）の場合において、ユーザは、番組データ３０や同一構成番組データ４０、５０について、見たい部分（コーナー）を、見たい順に、見たい時間だけ、視聴することができる。
【００６６】
（第２実施形態）
本発明の第２実施形態による録画番組再生装置１では、第１実施形態と重複する説明を省略する。
【００６７】
第１実施形態では、ユーザが同一構成番組データ４０を指定したときに、編集再生画面により“通常再生”欄を選択した場合、再生支援装置２によって上述の通常再生処理（ステップＳ３）が実行される。例えば、番組データ３０と同一構成番組データ４０とで放送番組の構成が異なる場合がある。この場合、同一構成番組データ４０として、８月８日１９時〜２０時に放送された放送番組だけ構成が異なることが想定されるが、８月８日の放送分から放送番組の構成が異なることも考えられる。また、番組データ３０と同一構成番組データ４０とで放送番組の構成が変更されていない場合であっても、ユーザが番組データ３０内で早送りした部分（コーナー）も同一構成番組データ４０については視聴を望むことも考えられる。いずれにしても、この場合、同一構成番組データ４０について、再生支援装置２により上述の通常再生処理（ステップＳ３）が実行される。このとき、再生分割時間データ群３２−１、３２−３、…とは異なる再生分割時間データ群が識別子３１に対応付けてデータベース１４に格納され、２種類の再生分割時間データ群が存在してしまう。
【００６８】
そこで、第２実施形態では、ユーザが同一構成番組データ５０を指定した場合（ステップＳ１、Ｓ２−ＹＥＳ）、再生支援装置２は、ステップＳ５以降を実行する前に、複数種類（上記の場合、２種類）の再生分割時間データ群のうちの１つの再生分割時間データ群をユーザに選択させる。これにより、再生支援装置２は、同一構成番組データ５０の上記選択された再生分割時間データ群に対応する部分を録画・再生装置３に再生する。
【００６９】
図６は、再生支援装置２の動作を示すフローチャートである。
ここで、同一構成番組データ４０、５０をそれぞれ第１同一構成番組データ４０、第２同一構成番組データ５０と称する。
【００７０】
録画・再生装置３に再生されている第１同一構成番組データ４０に対して、ユーザが視聴指示として第１同一構成視聴指示を行なう。即ち、ユーザは、第１同一構成番組データ４０を視聴する場合、入力装置７を操作して第１同一構成視聴指示を行ない（ステップＳ１、Ｓ２−ＮＯ）、録画・再生装置３の再生部６は、その第１同一構成視聴指示に応じて第１同一構成番組データ４０を再生して出力装置８に出力する（ステップＳ３；通常再生処理）。このとき、再生支援装置２の再生監視部２１は、録画・再生装置３を監視する。
【００７１】
通常再生処理（ステップＳ３）において、図７に示されるように、再生監視部２１は、第１同一構成番組データ４０が放送された時間を表す第１同一構成時間データ４２を、第１同一構成視聴指示に従って、１番目から最終番目までの第１同一構成分割時間データ群４２−１、４２−２、４２−３、…に分割する。上述のように、視聴指示は、再生指示、早送指示、終了指示を含んでいる。第１同一構成分割時間データ群４２−１、４２−２、４２−３、…のうちの、奇数番目及び偶数番目の一方の分割時間データは、ユーザが入力装置７を操作して再生指示を行ってから早送指示又は終了指示を行うまでの視聴指示により、第１同一構成番組データ４０が録画・再生装置３に再生された部分を表す再生分割時間データ群であり、奇数番目及び偶数番目の他方の分割時間データは、ユーザが入力装置７を操作して早送指示を行ってから再生指示又は終了指示を行うまでの視聴指示により、第１同一構成番組データ４０が録画・再生装置３に早送りされた部分を表す早送分割時間データ群である。ここで、奇数番目の第１同一構成分割時間データ４２−１、４２−３、…を第１同一構成再生分割時間データ群とし、偶数番目の第１同一構成分割時間データ４２−２、４２−４、…を第１同一構成早送分割時間データ群とする。
例えば、第１同一構成再生分割時間データ群４２−１、４２−３、４２−５、４２−７、４２−９が表す時間を、それぞれ、０：００：００〜０：０７：００、０：１２：００〜０：１７：００、０：２０：００〜０：２５：００、０：２８：００〜０：３２：００、０：５０：００〜１：００：００とする。
【００７２】
再生支援装置２の再生管理部２２は、ステップＳ３が実行されているときに、データベース１４を管理する（ステップＳ４；再生管理処理）。
【００７３】
再生管理処理（ステップＳ４）において、図８に示されるように、再生管理部２２は、第１同一構成番組データ４０を識別するための識別子３１を記憶装置４から読み出し、識別子３１と、第１同一構成再生分割時間データ群４２−１、４２−３、４２−５、４２−７、４２−９とをデータベース１４に格納する。
再生管理部２２は、第１同一構成番組データ４０の第１同一構成再生分割時間データ群４２−１、４２−３、４２−５、４２−７、４２−９に対応する部分がそれぞれ再生されたときの回数を表す第１同一構成視聴回数群４３−１、４３−３、４３−５、４３−７、４３−９と、第１同一構成再生分割時間データ群４２−１、４２−３、４２−５、４２−７、４２−９のそれぞれの順位を表す順位群４６−１、４６−３、４６−５、４６−７、４６−９とを、識別子３１に対応付けてデータベース１４に格納する。ここで、第１同一構成視聴回数群４３−１、４３−３、４３−５、４３−７、４３−９が表す回数が同じ“１”であるため、再生管理部２２は、第１同一構成再生分割時間データ群４２−１、４２−３、４２−５、４２−７、４２−９の並び順により、第１同一構成視聴優先順位群４４−１“１”、４４−３“２”、４４−５“３”、４４−７“４”、４４−９“５”を決定し、第１同一構成順位群４６−１“１”、４６−３“２”、４６−５“３”、４６−７“４”、４６−９“５”としてデータベース１４に格納する。
【００７４】
ユーザは、第２同一構成番組データ５０を視聴する場合、入力装置７を操作して、第２同一構成番組データ５０を指定し、再生支援装置２の選択部２３は、ユーザにより指定された第２同一構成番組データ５０を選択番組データとして選択し、編集再生画面を出力装置８の表示装置に表示する（ステップＳ１、Ｓ２−ＹＥＳ）。
第２同一構成番組データ５０が選択番組データとして選択されたとき、選択部２３は、再生分割時間データ群３２−１、３２−３、３２−５と、第１同一構成再生分割時間データ群４２−１、４２−３、４２−５、４２−７、４２−９のうちの１つの再生分割時間データ群を選択するための選択情報を編集再生画面に表示して、ユーザに通知する（ステップＳ１０；時間データ選択処理）。
【００７５】
まず、（Ｂ）の場合について説明する。
【００７６】
例えば、ユーザは、入力装置７を操作して、第１同一構成再生分割時間データ群４２−１、４２−３、４２−５、４２−７、４２−９を選択して、優先再生指示を行なう（ステップＳ１０、Ｓ５−ＹＥＳ、Ｓ６−ＮＯ）。この場合、再生支援装置２の再生制御部２４は、優先再生指示に応じて、選択番組データ５０の第１同一構成再生分割時間データ群４２−１、４２−３、４２−５、４２−７、４２−９に対応する部分をそれぞれ第１同一構成順位群４６−１、４６−３、４６−５、４６−７、４６−９に従って録画・再生装置３に再生する（ステップＳ７；優先再生処理）。そのとき、再生管理部２２は、上記の再生管理処理（ステップＳ４）を実行する。
【００７７】
このように、本発明によれば、（Ｂ）の場合では、ユーザは、番組データ３０や同一構成番組データ４０、５０について、見たい部分（コーナー）を、見たい順に、視聴することができる。
【００７８】
次に、（Ｃ）の場合について説明する。
【００７９】
例えば、ユーザは、入力装置７を操作して、第１同一構成再生分割時間データ群４２−１、４２−３、４２−５、４２−７、４２−９を選択して、優先再生指示と、設定時間“２０分”を表す設定時間指示とを行なったものとする（ステップＳ１０、Ｓ５−ＹＥＳ、Ｓ６−ＹＥＳ）。この場合、選択部２３は、第１同一構成再生分割時間データ群４２−１、４２−３、４２−５、４２−７、４２−９の中から、第１同一構成順位群４６−１、４６−３、４６−５、４６−７、４６−９が表す順位が高い順に、且つ、設定時間“２０分”に対応する第１同一構成対応再生分割時間データ群４２−１“７分”、４２−３“５分”、４２−５’“５分”、４２−７’“３分”（図示しない）を選択する。ここで、第１同一構成対応再生分割時間データ４２−１、４２−３、４２−５は、それぞれ、時間“７分”、“５分”、“５分”を表す再生分割時間データである。設定時間“２０分”から、第１同一構成対応再生分割時間データ４２−１、４２−３、４２−５が表す時間“７分”、“５分”、“５分”の合計値を減算した時間は、“３分”であるため、第１同一構成対応再生分割時間データ４２−７’は、第１同一構成対応再生分割時間データ４２−７が表す時間“４分”のうちの、“３分”を表す再生分割時間データである。再生制御部２４は、選択番組データ５０の第１同一構成対応再生分割時間データ群４２−１、４２−３、４２−５、４２−７’に対応する部分をそれぞれ第１同一構成順位４６−１、４６−３、４６−５、４６−７に従って録画・再生装置３に再生する（ステップＳ８；優先再生・時間設定処理）。そのとき、再生管理部２２は、上記の再生管理処理（ステップＳ４）を実行する。
【００８０】
このように、本発明によれば、（Ｃ）の場合では、ユーザは、番組データ３０や同一構成番組データ４０、５０について、見たい部分（コーナー）を、見たい順に、見たい時間だけ、視聴することができる。
【図面の簡単な説明】
【００８１】
【図１】図１は、本発明の録画番組再生装置１が適用されるシステムの構成を示している。（第１実施形態、第２実施形態）
【図２】図２は、録画番組再生装置１の再生支援装置２の動作を示すフローチャートである。（第１実施形態）
【図３】図３は、録画番組再生装置１の動作を説明するための図である。（第１実施形態）
【図４Ａ】図４Ａは、再生支援装置２のデータベース１４を示している。（第１実施形態、第２実施形態）
【図４Ｂ】図４Ｂは、データベース１４を示している。（第１実施形態、第２実施形態）
【図４Ｃ】図４Ｃは、データベース１４を示している。（第１実施形態、第２実施形態）
【図５Ａ】図５Ａは、再生支援装置２が出力装置８（表示装置）に表示する編集再生画面の一部を表している。（第１実施形態、第２実施形態）
【図５Ｂ】図５Ｂは、編集再生画面の一部を表している。（第１実施形態、第２実施形態）
【図５Ｃ】図５Ｃは、編集再生画面の一部を表している。（第１実施形態、第２実施形態）
【図６】図６は、本発明の録画番組再生装置１の再生支援装置２の動作を示すフローチャートである。（第２実施形態）
【図７】図７は、本発明の録画番組再生装置１の動作を説明するための図である。（第２実施形態）
【図８】図８は、データベース１４を示している。（第２実施形態）
【符号の説明】
【００８２】
１    録画番組再生装置
２    再生支援装置
３    録画・再生装置
４    記憶装置
５    受信部
６    再生部
７    入力装置
８    出力装置
１１    ＣＰＵ
１２    格納部
１３    コンピュータプログラム
１４    データベース
２１    再生監視部
２２    再生管理部
２３    選択部
２４    再生制御部
３０    番組データ
３１    識別子
３２    時間データ
３２−１、３２−３、…    再生分割時間データ
３３−１、３３−３、…    視聴回数
３４−１、３４−３、…    視聴優先順位
３５−１、３５−３、…    ユーザ順位
３６−１、３６−３、…    順位
４０    第１同一構成番組データ
４２    第１同一構成時間データ
４２−１、４２−３、…    第１同一構成再生分割時間データ
４３−１、４３−３、…    第１同一構成視聴回数
４４−１、４４−３、…    第１同一構成視聴優先順位
４５−１、４５−３、…    第１同一構成ユーザ順位
４６−１、４６−３、…    第１同一構成順位
５０    第２同一構成番組データ
１０１    放送番組配信装置
１０２    ネットワーク
【図１】
2008092076.tif 000003
【図２】
2008092076.tif 000004
【図３】
2008092076.tif 000005
【図４Ａ】
2008092076.tif 000006
【図４Ｂ】
2008092076.tif 000007
【図４Ｃ】
2008092076.tif 000008
【図５Ａ】
2008092076.tif 000009
【図５Ｂ】
2008092076.tif 000010
【図５Ｃ】
2008092076.tif 000011
【図６】
2008092076.tif 000012
【図７】
2008092076.tif 000013
【図８】
2008092076.tif 000014